(57)【要約】【課題】データ伝送量をセンタ装置から見て適切なものとし，センタ装置のソフト処理が効率的に行うことができるデータ伝送システムを提供することを目的とする。【解決手段】端末装置において伝送データ量を計算し，伝送データ量が一定以上である場合はデータ伝送方式をポーリング方式とし，一定未満である場合は変化発報方式とする要求信号をセンタ装置に送信し，伝送方式をポーリング方式または変化発報方式を選択できるようにした。【選択図】図１
2011130514.tif 000002
【特許請求の範囲】
【請求項１】
ポーリング方式、変化発報方式のうち一のデータ伝送方式を選択する選択手段と、
前記選択手段の選択結果を伝送方式要求信号として送信する送信手段と
を具備する端末装置と、
前記伝送方式要求信号に応じ前記端末装置間との伝送方式をポーリング方式、変化発報
方式のうち一の方式に切替える伝送方式切替手段を具備するセンタ装置と
前記センタ装置は、
前記端末装置から一定時間内に前記伝送方式要求信号を受信しない場合は前記端末装置
に対し、ポーリング方式とする伝送方式決定信号を送信する送信手段
をさらに具備するデータ伝送システム。
【請求項２】
伝送するデータを記憶する伝送データ記憶部と、
前記伝送データ記憶部に記憶した伝送データ量を計算する計算手段と、
前記計算手段により計算された伝送データ量が第一のしきい値以上である場合は、デー
タ伝送方式をポーリング方式とし、第一のしきい値未満である場合は変化発報方式とする
、
伝送方式を選択する選択手段と、
前記選択手段の選択結果を伝送方式要求信号として送信する送信手段とを具備する端末
装置と、
前記伝送方式要求信号に応じ前記端末装置間との伝送方式をポーリング方式、変化発報
方式のうち一の方式に切替える伝送方式切替手段
を具備するセンタ装置と、
前記センタ装置は、
前記端末装置から一定時間内に前記伝送方式要求信号を受信しない場合は前記端末装置
に対し、ポーリング方式とする伝送方式決定信号を送信する送信手段
をさらに具備するデータ伝送システム。
【請求項３】
伝送するデータを記憶する伝送データ記憶部と、
前記伝送データ記憶部に記憶した伝送データ量を計算する計算手段と、
前記計算手段により計算された伝送データ量が第一のしきい値以上である場合はデータ
伝送方式をポーリング方式とし、第一のしきい値未満である場合は変化発報方式とする、
伝送方式を選択する選択手段と、
前記選択手段の選択結果を伝送方式要求信号として送信する送信手段と、
伝送方式決定信号を受信する受信手段と、
伝送方式を、前記受信手段により受信した伝送方式決定信号に対応した、ポーリング方
式、変化発報方式のうち一の方式に切替える伝送方式切替手段と
を具備する複数の端末装置と、
前記端末装置の前記送信手段から送信された伝送方式要求信号の変化発報方式要求数が
第二のしきい値以上である場合に、システムの伝送方式を変化発報方式とし、未満である
場合に、ポーリング方式とする判断手段と、
前記判断手段の判断結果を前記伝送方式決定信号として各端末に送信する送信手段と、
前記判断手段の判断結果に応じ各端末間との伝送方式をポーリング方式、変化発報方式の
うち一の方式に切替える伝送方式切替手段と
を具備するセンタ装置と
前記センタ装置は、
前記端末装置から一定時間内に前記伝送方式要求信号を受信しない場合は前記端末装置
に対し、ポーリング方式とする伝送方式決定信号を送信する送信手段
をさらに具備するデータ伝送システム。
【発明の詳細な説明】
【技術分野】
【０００１】
本発明はビル施設監視システム等のデータ伝送システムに関する。
【背景技術】
【０００２】
従来より、ビル施設の電気設備や空調を制御・監視するデータ伝送システムが普及して
きている。
【０００３】
当該データ伝送システムはそのシステム毎に，センタ装置から端末装置に対し，センタ
装置がタイミングを決定し端末装置に対しデータの伝送を要求する所謂ポーリング方式，
または端末側でデータの変化があった場合にセンタ装置の状況如何に係わらず端末装置側
からデータの送信を行う所謂変化発報方式が採用されていた。（例えば特許文献１）。
【先行技術文献】
【特許文献】
【０００４】
【特許文献１】特開平６−２６８６５８号公報（第５頁、図１）
【発明の概要】
【発明が解決しようとする課題】
【０００５】
しかしながら、従来の伝送システムにおいてはポーリング方式を採用した場合は，デー
タの伝送量が多く、変化の発生していない端末ともデータ伝送を行うことになり、その結
果センタ装置のソフト処理が忙しくなり，例えばセンタ装置の表示の切替わりに時間がか
かるなどの問題点があった。
【０００６】
本発明は、データ伝送量をセンタ装置から見て適切なものとし，センタ装置のソフト処理
が効率的に行われるデータ伝送システムを提供することを目的とする。
【課題を解決するための手段】
【０００７】
上記目的を達成するために、本発明によるデータ伝送システムは、
ポーリング方式、変化発報方式のうち一のデータ伝送方式を選択する選択手段と、
前記選択手段の選択結果を伝送方式要求信号として送信する送信手段と
を具備する端末装置と、
前記伝送方式要求信号に応じ前記端末装置間との伝送方式をポーリング方式、変化発報
方式のうち一の方式に切替える伝送方式切替手段を具備するセンタ装置と
前記センタ装置は、
前記端末装置から一定時間内に前記伝送方式要求信号を受信しない場合は前記端末装置
に対し、ポーリング方式とする伝送方式決定信号を送信する送信手段
をさらに具備する。
【発明の効果】
【０００８】
本発明によれば、データ伝送量により伝送方式をポーリング方式または変化発報方式に
切替えることができるのでセンタ装置のソフトの処理能力に応じた伝送を行うことができ
る。
【図面の簡単な説明】
【０００９】
【図１】本発明によるデータ伝送システムの一実施例であるシステム構成図
【図２】本発明による一実施例であるデータ伝送システムにかかる制御装置の内部構成を示す構成図
【図３】本発明による一実施例であるデータ伝送システムにかかる表示装置の内部構成を示す構成図
【図４】本発明による一実施例であるデータ伝送システムにかかる制御装置のソフトウェアの流れを示すフロー図
【図５】本発明による一実施例であるデータ伝送システムにかかる表示装置のソフトウェアの流れを示すフロー図
【図６】本発明による一実施例であるデータ伝送システムにかかる制御装置のソフトウェアの流れを示すフロー図
【発明を実施するための形態】
【００１０】
本発明によるデータ伝送システムの一実施例を図１、図２、図３を参照して説明する。
【００１１】
図１は本発明によるデータ伝送システムの一構成例である。本実施例では表示装置１０
４がセンタ装置、制御装置１０１，１０２、１０３が端末装置である。図１における構成
例は、センタ装置として機能する表示装置１台と端末装置として機能する制御装置３台か
らなる。制御装置数は実際のシステムでは構成毎に増減する。図２は本発明にかかる端末
装置であるところの制御装置の内部構成を表している。図３は本発明にかかるセンタ装置
であるところの表示装置の内部構成を表している。
【００１２】
１０１は制御装置で電気設備１０５に接続されており、電気設備１０５から稼動状況等
を表す信号を受信し、この信号を解析し電気設備１０５を制御するとともに、表示装置１
０４に対し稼動情報や消費電流が過大である等の異常情報を伝送する。１０５は電気設備
でエレベータ等がこれにあたり稼動状況を表す信号を制御装置１０１に対し送信し、制御
信号を受信している。
【００１３】
１０２は制御装置で空調設備１０６に接続されており、空調設備１０６から稼動状況等
を表す信号を受信し、この信号を解析し空調設備１０６を制御するとともに、表示装置１
０４に対し稼動情報や消費電流が過大である等の異常情報を伝送する。なお、制御装置１
０２は制御装置１０１の内部構成と実質同一である。１０６は空調設備でエアコン等がこ
れにあたり稼動状況を表す信号を制御装置１０２に対し送信し、制御信号を受信している
。
【００１４】
１０３は制御装置で防災設備１０７に接続されており、防災設備１０７から稼動状況等
を表す信号を受信し、この信号を解析し防災設備１０７を制御するとともに、表示装置１
０４に対し稼動情報や消費電流が過大である等の異常情報を伝送する。なお、制御装置１
０３は制御装置１０１の内部構成と実質同一である。１０７は防災設備で警報装置等がこ
れにあたり稼動状況を表す信号を制御装置１０３に対し送信し、制御信号を受信している
。
【００１５】
１０４は表示装置で、制御装置１０１，１０２，１０３からの稼動状況データや異常デ
ータを取得し稼動状況や異常等を表示する。これらの各制御装置１０１，１０２，１０３
ならびに表示装置１０４は共通の伝送線に接続されている。当該伝送線はＲＳ４８５等が
用いられる場合が多い。
【００１６】
図２は制御装置の内部構成を示しており，その構成は制御装置１０１、１０２、１０３
とも同一である。
【００１７】
２０１は制御部でマイクロコンピュータ等により構成され、制御装置全体の制御を行っ
ている。
【００１８】
２０２はプログラムメモリで所謂ＲＯＭ等により構成されており、制御部２０１の動作
プログラムを記憶している。記憶している動作プログラムは、制御部２０１にタイミング
を制御され読み出される。
【００１９】
２０３は制御用Ｉ／Ｏで外部の被制御機器からの情報を取得し，また制御するためのイ
ンターフェースである。制御用Ｉ／Ｏ２０３は制御装置１０１の場合には電気設備１０５
，制御装置１０２の場合には空調設備１０６、制御装置１０３の場合には防災設備１０６
に接続される。
【００２０】
２０４は伝送部でＲＳ４８５対応の集積回路やカレントループの場合はフォトカプラ等
で構成されており、制御部２０１にその伝送を制御され，接続される電気設備１０５、空
調設備１０６、防災設備１０７各機器の稼動情報や異常情報を表示装置１０４に対し伝送
する。
【００２１】
２０５は記憶部で，所謂ＲＡＭ等により構成されており、表示装置１０４に対する送信
データを記憶する。この送信データは、制御用Ｉ／Ｏ２０３を介し電気設備１０５、空調
設備１０６、防災設備１０７から稼動状況等を表す信号データを受信した制御部２０１に
より作成される。
【００２２】
２０６は記憶部で、所謂ＲＡＭ等により構成されており、記憶部２０５に記憶されてい
る送信データをもとに制御部２０１により算出された送信量データを記憶している。
【００２３】
２０７は記憶部で、所謂ＲＡＭ等により構成されており、制御部２０１により判断され
たポーリング方式、変化発報方式のうち一の伝送方式をあらわすコードを伝送方式要求コ
ードとして記憶する。たとえば制御部２０１が一定時間内にしきい値Ａ以上の伝送量があ
ると判断した場合にはポーリング方式を採用する旨のコード‘０’を、しきい値Ａ未満で
あると判断した場合には変化発報方式を採用する旨のコード‘１’を伝送方式要求コード
として記憶部２０７は記憶する。
【００２４】
２０８は記憶部で、所謂ＲＡＭ等により構成されており、表示装置１０４から送出され
た伝送方式決定信号を受信した制御部２０１により指示されるポーリング方式、変化発報
方式のうち一の伝送方式をあらわすコードを伝送方式決定コードとして記憶する。
【００２５】
図３は表示装置１０４の内部構成を示している。３０１は制御部でマイクロコンピュー
タ等により構成され、表示や伝送等当該表示装置全体の制御を行っている。
【００２６】
３０２はプログラムメモリで所謂ＲＯＭ等により構成されており、制御部３０１の動作
プログラムを記憶している。記憶している動作プログラムは、制御部３０１にタイミング
を制御され読み出される。
【００２７】
３０３は伝送部でＲＳ４８５対応の集積回路やカレントループの場合はフォトカプラ等
で構成されており、制御部３０１にその伝送を制御され，制御装置１０１，１０２，１０
３とデータの送受信を行う。
【００２８】
３０４は表示部で液晶表示装置等から構成されており、各制御装置１０１、１０２、１
０３から受信した稼動情報や異常情報等のデータを表示する。
【００２９】
３０５は操作部でテンキースイッチ等から構成されており、使用者による制御に関する
数値等の設定に使用される。
【００３０】
３０６は記憶部で、所謂ＲＡＭ等により構成されており、各制御装置１０１，１０２，
１０３がポーリング方式，変化発報方式いずれの伝送方式を要求しているか伝送方式要求
コードとして記憶する。例えば制御装置１０１、１０２がポーリング方式を、１０３が変
化発報方式を要求している場合は、記憶部３０５は各制御装置に対応する領域に伝送方式
要求コードとしてそれぞれ‘０’‘０’‘１’を記憶する。
【００３１】
３０７は記憶部で、所謂ＲＡＭ等により構成されており、制御部３０１により判断され
た変化発報方式、ポーリング方式のうち一の伝送方式をあらわすコードを伝送方式決定コ
ードとして記憶する。たとえば制御部３０１が変化発報方式を要求している制御装置数が
しきい値Ｃ以上であると判断した場合には、変化発報方式を採用する旨のコード‘１’を
、未満であると判断した場合にはポーリング方式を採用する旨のコード‘０’を伝送方式
決定コードとして記憶部３０７は記憶する。
【００３２】
次に、本実施例の動作を図４、５、６のフロー図を交え説明する。制御装置１０１，１
０２，１０３の送信部分プログラムのフローを図４に、受信部分プログラムのフローを図
６に示す。表示装置１０４のプログラムのフローを図５に示す。図４、６にフローを示す
プログラムは制御装置１０１，１０２，１０３のプログラムメモリ２０２に格納されてい
る。図５にフローを示すプログラムは表示装置１０４のプログラムメモリ３０２に格納さ
れている。
【００３３】
各制御装置１０１，１０２，１０３において、制御部２０１は表示装置１０４への送信
データを送信前に記憶部２０５に記憶させる（ステップ４０１）。当該データは制御装置
１０１の場合は接続される電気設備１０５の消費電力，漏電情報，温度情報，変換効率等
であり，制御装置１０２の場合は接続される空調設備１０６の温度データ，変換効率，消
費電力等であり，制御装置１０３の場合は接続される防災設備１０７の稼動状況，保守デ
ータ等である。なお、制御装置に接続された各設備は、機器の種類を示す機器別コード、
データの種類を示すデータ識別コードを数値データに付属させ伝送を行うため各制御装置
１０１，１０２，１０３ならびに表示装置１０４は接続機器の種類ならびにデータの識別
を行うことが可能である。
【００３４】
制御部２０１は記憶部２０５に記憶されている送信データの単位時間あたりの送信量を
計算する（ステップ４０２）。さらにその計算結果を記憶部２０６に記憶する（ステップ
４０３）。制御部２０１は当該記憶部２０６に記憶されている送信量がしきい値Ａ以上で
あるかを判断し（ステップ４０４）しきい値Ａ以上の場合は伝送方式をポーリング方式と
する旨判断する（ステップ４０５）。一方，送信量がしきい値Ａ未満である場合は伝送方
式を変化発報方式とする旨判断する（ステップ４０６）。これらの判断結果は記憶部２０
７に伝送方式要求コードとして記憶される（ステップ４０７）。つまり制御部２０１によ
り一定時間内に一定以上の伝送量があると判断された場合にはポーリング方式を意味する
コード‘０’が，一定量未満であると判断された場合には変化発報方式を意味するコード
‘１’が伝送方式要求コードとして記憶部２０７に記憶される。
【００３５】
その後、制御部２０１は記憶部２０７に記憶された伝送方式要求コードを含む信号を伝
送方式要求信号として伝送部２０４を介し、表示装置１０４に送信する（ステップ４０８
）。上記一連の動作は一定時間毎，例えば１分毎に，または，各制御装置に接続されてい
る機器に変化があった場合ごとに行う。尚、ビル管理用のシステム等においてはポーリン
グ方式で即時性は充分である。
【００３６】
一方、表示装置１０４では、制御部３０１が当該制御装置１０１，１０２，１０３から
の伝送方式要求信号を伝送部３０３を介し受信する（ステップ５０１）。
【００３７】
次に制御部３０１は、制御装置１０１，１０２，１０３からの伝送方式要求信号から伝
送方式要求コードを抽出し記憶部３０６に記憶する（ステップ５０２）。つまり制御部３
０１は、制御装置毎に、その制御装置の識別コードとともに、その制御装置がポーリング
方式を要求している場合はコード‘０’を、変化発報方式を要求している場合はコード‘
１’を伝送方式要求コードとして記憶部３０６に記憶させる。
【００３８】
また、時間Ｂ以内に伝送方式要求信号の受信を行うことができなかった制御装置がある
かの判断をおこない（ステップ５０３）、当該制御装置が存在する場合には、システム全
体の伝送をポーリング方式とする旨、決定しコード‘０’を記憶部３０７に伝送方式決定
コードとして記憶させる（ステップ５０７）。つまり、同一制御装置からの伝送方式要求
信号を受信する時間間隔が、時間Ｂを越えた場合、システムの伝送方式をポーリング方式
とするようコード‘０’が記憶部３０７に記憶される。なお、当該時間Ｂは使用者等によ
り操作部３０５から入力され、例えば１分間等に設定される。
【００３９】
時間Ｂ以内に伝送方式要求信号の受信を行うことができなかった制御装置がないと判断
した場合、制御部３０１は、変化発報方式を要求している制御装置数、ならびにポーリン
グ方式を要求している制御装置数をカウントする（ステップ５０４）。
【００４０】
さらに、制御部３０１は、変化発報方式を要求している制御装置数がしきい値Ｃ以上で
あるか判断を行い（ステップ５０５）、しきい値Ｃ以上である場合は変化発報方式を意味
するコード‘１’を、未満である場合はポーリング方式を意味するコード‘０’を伝送方
式決定コードとして記憶部３０５に記憶させる（ステップ５０６，５０７）。
【００４１】
その後、制御部３０１は、伝送方式決定コードとして記憶部３０７に記憶しているコー
ド‘１’（変化発報方式）または、コード‘０’（ポーリング方式）を電文にて伝送方式
決定信号として各制御装置に対し送信する（ステップ５０８）。
【００４２】
制御装置では制御部２０１が伝送部２０４を介し、表示装置１０４からの伝送方式決定
信号を受信したか判断を行う（ステップ６０１）。伝送方式決定信号の受信がない場合は
前回の伝送方式決定信号受信時から時間Ｄ以上経過したかの判断を行い（ステップ６０２
）、時間Ｄ以上経過したと判断した場合はポーリング方式を採用すべく伝送方式決定コー
ドとして‘０’を記憶部２０８に記憶させる（ステップ６０７）。時間Ｄ以上経過してい
ない場合は伝送方式決定信号の受信状態（ステップ６０１）に戻る。なおここで、時間Ｄ
とはプログラムにあらかじめ設定されている時間をいう。
【００４３】
ステップ６０１で伝送方式決定信号を受信したと判断した場合、さらに制御部２０１は
、前回伝送方式決定時から時間Ｅ以上経過しているかの判断を行う（ステップ６０３）。
なおここで、時間Ｅとはプログラムにあらかじめ設定されている時間をいう。
【００４４】
時間Ｅ以上経過していない場合、頻繁に伝送方式を変更することは不都合であるため制
御部２０１は、現在設定されている伝送方式を維持すべく記憶装置２０８の伝送方式決定
コードの書き換えは行わない（ステップ６０８）。
【００４５】
時間Ｅ以上経過している場合、制御部２０１は伝送方式決定信号中のコードを解析し変
化発報方式の場合はコード‘１’（変化発報方式）を（ステップ６０４，６０５）、ポー
リング方式の場合はコード‘０’（ポーリング方式）を（ステップ６０６，６０７）伝送
方式決定コードとして記憶部２０８に記憶させる。
【００４６】
以降、制御部２０１は記憶部２０８に記憶された伝送方式決定コードに従い、表示装置
との伝送を行う（ステップ６０９）。
【００４７】
伝送方式要求信号の伝送が制御装置から時間Ｂ以内に行われなかった場合はポーリング
方式にて伝送を行う旨の伝送方式決定信号を制御装置１０１，１０２，１０３に対して表
示装置１０４は送出しポーリング方式にて伝送を行う。このようにしておけば，必要なデ
ータが伝送されないリスクを回避することができる。
【００４８】
上記においては伝送方式決定信号の送出を行う伝送方式の最終決定を行うセンタ装置と
しての機能を表示装置１０４に持たせたが、制御装置１０１，１０２，１０３のうちいず
れか一台、または専用のユニットに、当該機能を持たせるシステムとすることも可能であ
る。あらかじめ、設定スイッチ（図中不示）を各制御装置に設けておき、センタ装置とす
る制御装置を設定できるようにしておけば、任意の制御装置をセンタ装置とすることがで
きる。
【００４９】
以上のように、本発明を用いれば、データ伝送量に応じ伝送方式をポーリング方式また
は変化発報方式に切替えることができるのでセンタ装置であるところの表示装置１０４の
ソフト処理能力に応じた伝送を行うことができる。
【符号の説明】
【００５０】
１０１    制御装置
１０２    制御装置
１０３    制御装置
１０４    表示装置
１０５    電気設備
１０６    空調設備
１０７    防災設備
２０１    制御部
２０２    プログラムメモリ
２０３    制御用Ｉ／Ｏ
２０４    伝送部
２０５    記憶部
２０６    記憶部
２０７    記憶部
２０８    記憶部
３０１    制御部
３０２    プログラムメモリ
３０３    伝送部
３０４    表示部
３０５    操作部
３０６    記憶部
３０７    記憶部
【図１】
2011130514.tif 000003
【図２】
2011130514.tif 000004
【図３】
2011130514.tif 000005
【図４】
2011130514.tif 000006
【図５】
2011130514.tif 000007
【図６】
2011130514.tif 000008